(57)【要約】【課題】常温域での超弾性の発現可能であり、磁場環境内でのアーチファクトが生じ難いＮｉフリーの超弾性合金を提供する。【解決手段】本発明は、Ａｕ−Ｃｕ−Ａｌ合金からなる超弾性合金であって、２０原子％以上４０原子％以下のＣｕと、１５原子％以上２５原子％以下のＡｌと、残部Ａｕとからなり、更に、体積磁化率が−２４ｐｐｍ以上６ｐｐｍ以下であるアーチファクトレスな超弾性合金である。本発明に係る超弾性合金は、溶解鋳造工程における鋳造時間を一定時間とすると共に、鋳造後の合金をホットプレス処理して材料組織の均質化を図ることで製造される。【選択図】なし【特許請求の範囲】
【請求項１】
Ａｕ−Ｃｕ−Ａｌ合金からなる超弾性合金であって、
２０原子％以上４０原子％以下のＣｕと、１５原子％以上２５原子％以下のＡｌと、残部Ａｕとからなり、
更に、体積磁化率が−２４ｐｐｍ以上６ｐｐｍ以下であるアーチファクトレスな超弾性合金。
【請求項２】
２５原子％以上３５原子％以下のＣｕと、１８原子％以上２５原子％以下のＡｌと、残部Ａｕとからなる請求項１記載の超弾性合金。
【請求項３】
請求項１又は請求項２記載の超弾性合金の製造方法であって、
２０原子％以上４０原子％以下のＣｕと、１５原子％以上２５原子％以下のＡｌと、残部ＡｕとからなるＡｕ−Ｃｕ−Ａｌ合金を溶解鋳造する工程を含み、
前記溶解鋳造工程で、溶湯の凝固時間を６.０ｓｅｃ以下としてＡｕ−Ｃｕ−Ａｌ合金を製造し、
更に、前記溶解鋳造工程後のＡｕ−Ｃｕ−Ａｌ合金を、５５０℃以上６５０℃以下の温度でホットプレスするホットプレス工程を含む超弾性合金の製造方法。
【請求項４】
ホットプレス工程後の合金を、４５０℃以上５５０℃以下の温度で加熱する均質化熱処理工程を含む請求項３記載の超弾性合金の製造方法。
【発明の詳細な説明】
【技術分野】
【０００１】
本発明は、医療用材料として好適な超弾性合金に関する。詳しくは、Ｎｉフリーであり、常温域における超弾性の発現可能性を有すると共に、磁場環境内でのアーチファクトが生じ難い超弾性合金に関する。
【背景技術】
【０００２】
カテーテル、ステント、塞栓コイル等の医療用器具が適用される医療分野に対して、超弾性合金の応用が期待されている。超弾性合金とは、変態温度以上の環境下において、極めて広い弾性範囲を有する金属材料であり、大変形を受けても元の形状に回復する性質を有する。そして、常温域近傍に変態温度を有する超弾性合金は、人体の体温でも超弾性を発現可能であるので医療用器具への応用が可能とされている。
【０００３】
その特性上の観点から、これまでで最も知られている超弾性合金はＮｉ−Ｔｉ系形状記憶合金を基礎とする合金である。しかし、Ｎｉ−Ｔｉ系合金は、金属アレルギーの要因となるＮｉを含有することから、生体適合性という医療分野で最重要視されるべき特性に欠ける材料である。
【０００４】
そこで、Ｎｉフリーとしつつ超弾性を発現可能な合金材料の開発が行われている。本願出願人も、Ａｕ−Ｔｉ系形状記憶合金に対して、Ｃｏの添加、及び、Ｍｏ又はＮｂを添加してなる超弾性合金（特許文献１）や、Ａｕ−Ｃｕ−Ａｌ系形状記憶合金に対して、Ｆｅ又はＣｏを添加してなる超弾性合金（特許文献２）等を開示している。
【先行技術文献】
【特許文献】
【０００５】
【特許文献１】特開２０１４−８４４８５号公報
【特許文献２】特開２０１５−４８４８５号公報
【発明の概要】
【発明が解決しようとする課題】
【０００６】
上記した各種の超弾性合金は、Ｎｉを排除しつつも超弾性を発現し得るものである。特に、上記の合金はＡｕを構成元素とするが、Ａｕは生体適合性にも優れているというメリットがある。また、Ａｕという重い金属を含むことから、上記の超弾性合金はレントゲン造影性も良好であるため医療用器具に好適である。
【０００７】
しかしながら、医療現場における治療・診断方法の進展に鑑みると、上記の超弾性合金は、医療用材料として重要視されつつある新規な要求特性までも具備しているとはいい難い。この新規な要求特性とは、磁気特性である。
【０００８】
近年の医療現場においては、磁気共鳴画像診断処理装置（ＭＲＩ）を用いた治療、手術が広く行われるようになっており、磁場環境内における医療器具の構成材料への影響が懸念されるようになっている。その影響によって生じる問題として、ＭＲＩのアーチファクト（偽像）が挙げられる。アーチファクトとは、磁場中で金属が磁化しその周辺領域におけるＭＲＩ像にゆがみを生じさせる現象である。アーチファクトが発生した場合、正確な手術・診断の妨げとなる。そして、上記した医療用とされる超弾性合金は、アーチファクトを抑制することができないと思われる。
【０００９】
本発明は、上記背景のもとになされたものであり、Ｎｉフリーとしつつも常温域での超弾性を発現し得ることことに加え、磁場環境内でのアーチファクトが生じ難い超弾性合金を開示する。そして、医療分野での使用に対して、従来以上に適合性を有する合金材料を提供する。
【課題を解決するための手段】
【００１０】
上記課題は、超弾性発現とアーチファクトレスとの両立を図ることであるが、それらの現象は原理的に相違する現象であるので、必ずしも容易なことではない。
【００１１】
超弾性に関しては、その原理は、形状記憶合金のマルテンサイト変態による相転移現象を基礎とするものであり、合金の結晶構造に関連する。そして、超弾性は、合金の結晶構造を考慮しつつ、変態温度を常温域にまで意識的に低下することができるような構成元素の採用によって図られている。
【００１２】
一方、アーチファクトは、金属の磁場中での磁化に起因する現象であることから、当該金属の磁化率（体積磁化率）と関連がある。但し、アーチファクトの問題に関しては、単に磁化率を低くすれば良いというわけではなく、一定の基準が設定される。本発明者等によれば、その基準とは、当該金属の磁化率が生体組織の磁化率に近似することである。生体組織の磁化率は、その主要構成成分である水に起因する。そして、水の磁化率は−９ｐｐｍ（−９×１０−６）であり、わずかに反磁性を示す。アーチファクトレスの材料とは、その磁化率が水の磁化率に近似しているものとすべきである。ここで、本発明者等は、磁化率の基準として、水の磁化率（−９ｐｐｍ）に対して±１５ｐｐｍ（−２４ｐｐｍ以上６ｐｐｍ以下）とした。
【００１３】
本発明者等は、上記事項を考慮しつつ、超弾性発現とアーチファクトレスとの双方を達成できる合金系として、Ａｕ−Ｃｕ−Ａｌ合金に着目した。上記の特許文献２で言及しているように、Ａｕ−Ｃｕ−Ａｌ合金は、形状記憶合金として知られている材料であるので、超弾性発現の可能性が高い合金である。そして、Ｎｉを含まないことから生体適合性の問題を解消することができる。
【００１４】
Ａｕ−Ｃｕ−Ａｌ合金は、Ａｕを含むことによる利点も有する。上記のとおり、Ａｕは、生体適合性を有すると共にレントゲン造影性もあるので医療用材料として好適である。そして、Ａｕは、本発明の課題であるアーチファクトの抑制に対して重要な利点がある。即ち、Ａｕは、磁化率が−３４ｐｐｍの反磁性金属である。上記の通り、アーチファクトレスな材料の基準としては、水の磁化率に近い範囲（−９ｐｐｍ±１５ｐｐｍ）とすることが好適である。Ａｕは、この基準に近い金属であり、本発明の課題解決の起点というべき金属である。
【００１５】
ここで、合金材料の磁化率は、合金化する金属の磁気的性質と組成に応じて調整することができる。上記のとおり、Ａｕの磁化率は−３４ｐｐｍであり、本発明における基準値（−９ｐｐｍ±１５ｐｐｍ）に対して、わずかにプラス側にシフトさせることで近づけることができる。この点、本発明のＡｕ−Ｃｕ−Ａｌ合金において、Ａｌは常磁性金属（磁化率：１６ｐｐｍ）であり、その磁化率は僅かながらプラス側を示すことから、Ａｕに合金化することで合金の磁化率の調整に寄与する。一方、Ｃｕは反磁性金属（磁化率：−９ｐｐｍ）であるので、Ａｌと比較すると合金の磁化率に対する影響がマイルドである。本発明者等によれば、ＡｕにＡｌ、Ｃｕを適切に合金化することで、上記した基準範囲内の磁化率の合金を形成できる可能性がある。
【００１６】
本発明者等は、以上のような考察を背景として鋭意検討を行い、Ａｕ−Ｃｕ−Ａｌ合金について、適切な組成範囲を有し、常温域での超弾性発現を可能とする変態温度を有すると共に、アーチファクトレスと称することのできる磁化率を示す合金材料を見出し、本発明に想到した。
【００１７】
即ち、本発明は、Ａｕ−Ｃｕ−Ａｌ合金からなる超弾性合金であって、２０原子％以上４０原子％以下のＣｕと、１５原子％以上２５原子％以下のＡｌと、残部Ａｕとからなり、更に、体積磁化率が−２４ｐｐｍ以上６ｐｐｍ以下である超弾性合金である。
【００１８】
以下、本発明についてより詳細に説明する。本発明に係るＡｕ−Ｃｕ−Ａｌ合金からなるアーチファクトレスな超弾性合金は、Ａｕを主要な構成元素としつつ、Ｃｕ、Ａｌを好適範囲で添加した合金である。以下、この合金の構成金属について説明する。尚、以下において合金組成を示す「％」とは「原子％」の意義である。また、合金の「磁化率」とは、体積磁化率の意義である。
【００１９】
本発明に係るＡｕ−Ｃｕ−Ａｌ合金において、Ｃｕの添加量は、２０％以上４０％以下とする。Ｃｕは、主に、合金の超弾性発現に関与する金属である。Ｃｕが２０％未満では超弾性が発現しない。そして、４０％を超えると、変態温度が高くなり、常温では形状記憶効果を発現するに止まり超弾性は発現しない。また、磁化率が６ｐｐｍを超える可能性も生じる。Ｃｕについては、２５％以上３５％以下とするのがより好ましい。
【００２０】
そして、Ａｌの添加量は、１５％以上２５％以下とする。本発明においては、Ａｌも重要な構成金属であり、超弾性発現に関与するとともに、磁化率の調整作用が比較的大きい。また、Ａｌは合金の加工性にも影響を及ぼす。Ａｌが１５％未満となると、常温での超弾性が発現し難くなり、磁化率の調整作用にも劣る。そして、Ａｌが２５％を超えると、変態温度が過度に低くなると共に、加工性が悪化する。Ａｌについては、１８％以上２５％以下とするのがより好ましい。
【００２１】
以上のＣｕ、Ａｌ添加量を基準として残部をＡｕとする。Ａｕ濃度については、４０％以上５７％以下とするのがより好ましい。
【００２２】
本発明に係る超弾性合金は、基本的に溶解鋳造法にて製造することができる。各金属の原材料を溶解して溶湯を生成し、これを鋳造することでＡｕ−Ｃｕ−Ａｌ合金のインゴットを製造する工程が基本となる。
【００２３】
但し、本発明では、超弾性特性と磁化特性の双方に対する要求を同時に達成する必要がある。これらの特性を同時に好適なものとするためには、合金材料の組織的な均質性を高める必要がある。ここで、本発明に係る超弾性合金の製造方法は、均質性確保のため、溶解鋳造工程における溶湯を高い冷却速度で鋳造することと、溶解鋳造後のＡｕ−Ｃｕ−Ａｌ合金のインゴットをホットプレスする工程を付加している。即ち、本発明に係る超弾性合金の製造方法は、上記した組成のＡｕ−Ｃｕ−Ａｌ合金を溶解鋳造する工程を含み、溶解鋳造工程で、溶湯の凝固時間を６.０ｓｅｃ以下としてＡｕ−Ｃｕ−Ａｌ合金を製造し、更に、前記溶解鋳造工程後のＡｕ−Ｃｕ−Ａｌ合金を、５５０℃以上６５０℃以下の温度でホットプレスするホットプレス工程を含むものである。
【００２４】
本発明の合金製造方法では、溶解鋳造法工程で溶湯を合金インゴットとするときの冷却速度を制御する。これは、冷却速度を高くすることで、偏析の発生を抑制し鋳造過程での材料組織の均質化を図るためである。この冷却速度に関する具体的な条件として、溶湯の凝固時間を６.０ｓｅｃ以下としている。凝固時間が６.０ｓｅｃを超えるような遅い冷却では、偏析を含む凝固組織が形成される可能性がある。この凝固時間は、鋳型の材質と鋳造品となる合金の組成と鋳造品の表面積及び体積との関係により設定することができる。本発明において、凝固時間を６.０ｓｅｃ以下としてＡｕ−Ｃｕ−Ａｌ合金を製造するための具体的方法としては、水冷銅鋳型を採用することが挙げられる。尚、この凝固時間の下限としては、装置上の制約等から０．３ｓｅｃ以上とするのが好ましい。また、溶解鋳造法工程は、非酸化性雰囲気（真空雰囲気、不活性ガス雰囲気等）で行うことが好ましい。
【００２５】
そして、溶解鋳造工程後の合金インゴットは、ホットプレス工程に供される。ホットプレスを行うのは、材料組織の均質化を図るためである。溶解鋳造工程において、冷却速度を制御しても偏析が生じる可能性がある。特に、溶解鋳造工程で形成される凝固組織（樹枝状組織）においては、樹枝間に微小な偏析が生じることがある。また、凝固組織には、微小なポア（空隙）が形成されている可能性もある。本発明では、ホットプレスにより凝固組織を破壊して微細な偏析やポア等を除去し、材料組織の均質化を図ることとしている。
【００２６】
このホットプレスの条件としては、加熱温度を５５０℃以上６５０℃以下の温度とする。５５０℃未満では凝固組織の破壊が不十分である。また、６５０℃を超えると、結晶粒の粗大化による脆化が生じるおそれがある。そして、ホットプレスの加圧力は、５０ＭＰａ以上１５０ＭＰａ以下とするのが好ましく、プレス時間は、６００ｓｅｃ以上とするのが好ましい。
【００２７】
ホットプレス後の合金については、更に、所定温度で加熱する均質化熱熱処理を行うことが好ましい。これにより、材料組織の更なる均質化を図ることができる。この均質化熱処理は、４５０℃以上５５０℃以下の温度で合金を加熱保持するのが好ましい。熱処理時間は、３０００ｓｅｃ以上４０００ｓｅｃ以下とするのが好ましい。熱処理後の合金は、急冷（油冷、水冷、湯冷）することが好ましい。
【発明の効果】
【００２８】
以上説明したように、本発明に係る超弾性合金は、Ｎｉフリーとしつつも常温での超弾性発現可能性を有する合金である。そして、本発明に係る超弾性合金は、その体積磁化率が適切な範囲内となるように制御されており、磁場環境下においてアーチファクトレスであるという特徴も有する。また、本発明に係るＡｕ−Ｃｕ−Ａｌ合金からなる超弾性合金は、生体適合性やレントゲン造影性も良好である。
【００２９】
上記のような多くの利点を有するため、本発明は医療用材料として、各種の医療用器具への応用が期待できる。具体的には、塞栓コイル、歯列矯正具、クラスブ、人工歯根、クリップ、ステープル、カテーテル、ステント、ボーンプレート、ガイドワイヤ等の医療用器具への応用が可能である。
【発明を実施するための形態】
【００３０】
以下、本発明の実施形態について説明する。本実施形態では、Ｃｕ及びＡｌの添加濃度を変化させたＡｕ−Ｃｕ−Ａｌ合金を製造した後、常温域での超弾性特性の有無、体積磁化率、機械的特性、加工性の各特性の評価を行った。
【００３１】
超弾性合金の作製は、溶解原料として純度９９．９９％Ｃｕ、純度９９．９９％Ａｌ、純度９９．９９％Ａｕを用いた。非消耗Ｗ電極型アルゴンアーク溶解炉を用いて、これらの原料をＡｒ−１％Ｈ２雰囲気において溶解し、この溶湯を凝固してＡｕ−Ｃｕ−Ａｌ合金インゴットを製造した。尚、本実施形態では、溶湯を水冷銅鋳型で鋳造しており、このときの凝固時間は、１．６ｓｅｃであった。
【００３２】
次に、製造した合金インゴットを、ホットプレス処理した。ホットプレスは、真空中、６００℃でインゴットを１００ＭＰａで３６００ｓｅｃプレスした。ホットプレス処理後、合金インゴットを５００℃で３．６ｋｓｅｃ加熱して均質化処理した。均質化処理後のインゴット（厚さ１〜２ｍｍ）は徐冷して試験片作製に供した。
【００３３】
そして、上記の合金インゴットを放電加工で引張試験片（厚さ０．２ｍｍ、幅２ｍｍ×長さ２０ｍｍ）を作製した。この試験片に加工後の合金について、最終熱処理を行った。最終熱処理は、５００℃で１時間加熱後急冷した。
【００３４】
各試験片について、超弾性特性の有無、体積磁化率、機械的特性、加工性の評価を行った。各特性の評価方法は以下のとおりとした。
【００３５】
超弾性特性
ＤＳＣ（示差走査熱量測定）法により、変態温度（Ｍｓ）を測定した。測定条件は、−１５０℃から１５０℃までの昇降温速度を１０℃／ｍｉｎとした。測定された変態温度について、３１０Ｋ（３７℃）以下のものを超弾性発現の可能性ありとして優良（◎）と判定した。一方、変態温度が３１０Ｋ（３７℃）を超えたものは不適（×）とした。
【００３６】
体積磁化率（アーチファクト）
磁気天秤により各試験片の体積磁化率（Ｘｖｏｌ）を測定した。測定条件は、室温とした。測定された体積磁化率について、水の磁化率（−９ｐｐｍ）に対する偏差を算定し、±５ｐｐｍ以下を優良（◎）とし、±１５ｐｐｍ以下を良（○）とし、±１５ｐｐｍを超えたものを不適（×）と判定した。
【００３７】
機械的特性
各試験片について、ビッカース試験機（荷重３００ｇｆ）によりビッカース硬度（ＨＶ）を測定した。評価については、３００Ｈｖ以上を優良（◎）とし、２００Ｈｖ以上を良（○）とし、１５０以上を可（△）とし、１５０未満を不適（×）と判定した。
【００３８】
加工性
各試験片について、圧縮試験機により圧縮ひずみ（ε）を測定した。測定条件は、室温で歪速度３．３×１０−４ｓ−１とした。評価については、εが１０％以上のものを優良（◎）とし、５％以上のものを良（○）とし、５％未満のものを不適（×）と判定した。
【００３９】
以上の各特性についての測定結果及び評価結果を表１に示す。
【００４０】
【表１】
2019039023.tif 000002
【００４１】
表１から、２０原子％以上４０原子％以下のＣｕと、１５原子％以上２５原子％以下のＡｌのＡｕ−Ｃｕ−Ａｌ合金（Ｎｏ．１〜Ｎｏ．５）において、好適な変態温度（Ｍｓ）と体積磁化率（Ｘｖｏｌ）が測定されており、超弾性の発現とアーチファクトレスの両立を図ることの可能性が確認された。これらのＡｕ−Ｃｕ−Ａｌ合金は、機械的性質（硬度）と加工性（圧縮ひずみ）も合格であった。
【００４２】
一方、２５％を超えるＡｌを含む合金（Ｎｏ．６）は、Ａｌによる磁化率の調整作用により磁化率の値は極めて良好であったが、加工性（圧縮ひずみ）が著しく低かった。本発明は、医療用材料として各種形状の医療器具に加工されることが想定されていることから、加工性も重要な特性である。そのため、この合金は、総合的には好ましくない特性となった。また、４０％を超えるＣｕを含む合金（Ｎｏ．７）は、超弾性を示すことなく、磁化率も６ｐｐｍを超えていたので、好ましい合金ではないことが確認された。
【産業上の利用可能性】
【００４３】
本発明に係る超弾性合金は、常温域における超弾性の発現に加えて、適切な体積磁化率を有し、ＭＲＩ等の磁場環境下でアーチファクトレスとなり得る合金である。そして、Ｎｉを含まないことから、医療用材料として必須の条件である生体適合性を有すると共に、レントゲン造影性も良好である。本発明は、各種の医療器具への応用が期待できる。